【手続補正書】
【提出日】平成20年5月2日(2008.5.2)
【手続補正１】
【補正対象書類名】明細書
【補正対象項目名】特許請求の範囲
【補正方法】変更
【補正の内容】
【特許請求の範囲】
【請求項１】  物品の存在を検出するシステムであって、
所定の１次周波数を有する第１の電磁波信号を放射する送信器と、
少なくとも１つの略平面状の導電パターンを備え、前記第１の電磁波信号の受信に応答して第２の電磁波信号を発生するために前記物品に固定されるように配置されたタグとを備え、
前記第２の電磁波信号は前記１次周波数及び前記１次周波数とは異なる所定の２次周波数を有し、
前記システムは、
前記第２の電磁波信号を受信する受信器と、
前記受信器の出力端子に接続され、前記受信された第２の電磁波信号を処理し、前記第２の電磁波信号に前記２次周波数が検出されたときに出力信号を発生するコンピュータとを備えたシステム。
【請求項２】  前記少なくとも１つの略平面状の導電パターンは、前記１次周波数で共振する第１の共振回路と、前記２次周波数で共振する第２の共振回路とを備え、
前記第１及び第２の共振回路は電磁的に結合されている請求項１記載のシステム。
【請求項３】  前記第１の共振回路は少なくとも１つの他の共振回路を励振させる請求項２記載のシステム。
【請求項４】  前記第２の共振回路の励振は前記第１の共振回路の励振に依存する請求項２記載のシステム。
【請求項５】  前記第１の電磁波信号はパルス振幅変調されている請求項１記載のシステム。
【請求項６】  前記受信器はまた前記１次周波数を検出し、前記第１及び第２の周波数が共に検出されたときにのみ出力信号を発生する請求項１記載のシステム。
【請求項７】  前記受信器は前記１次周波数及び前記２次周波数に連続的に同調される請求項６記載のシステム。
【請求項８】  前記１次周波数と前記２次周波数は互いに調波関係にない請求項１記載のシステム。
【請求項９】  前記タグは、誘導性素子及び容量性素子のみを含む受動型である請求項１記載のシステム。
【請求項１０】  前記送信器は非掃引の送信器である請求項１記載のシステム。
【請求項１１】  前記送信器は前記受信器が信号を受信するときには信号を送信していない請求項１記載のシステム。
【請求項１２】  前記受信器は自然関数信号のみを受信し、前記自然関数信号は励振された回路のみから生じる請求項１記載のシステム。
【請求項１３】  前記受信器は励振された回路から強制関数信号を受信しない請求項１記載のシステム。
【請求項１４】  複数の異なる共振周波数を有する複数の共振周波数回路に格納された情報の存在を決定するためのシステムであって、
所定の１次周波数を有する第１の電磁波信号を放射する送信器と、
前記複数の共振回路を含むタグとを備え、
前記複数の共振回路はそれぞれ、前記タグ上に略平面状の導電パターンを備え、かつ前記複数の異なる共振周波数のうちの１つの共振周波数で共振し、
前記タグは前記第１の電磁波信号を受信し、前記第１の電磁波信号の受信に応答して第２の電磁波信号を発生し、
前記第２の電磁波信号は、前記複数の共振回路の前記共振周波数のうちの１つの共振周波数にそれぞれ対応する複数の２次周波数を含み、
前記システムは、
前記第２の電磁波信号を受信する受信器と、
前記受信器の出力端子に接続され、前記受信された第２の電磁波信号を処理することにより、前記複数の２次周波数の存在を検出し前記情報に対応する出力信号を発生するシステム。
【請求項１５】  前記タグは第１の共振回路と複数の第２の共振回路とを備え、
前記複数の第２の共振回路はそれぞれ、前記第１の共振回路に電磁的に結合されている請求項１４記載のシステム。
【請求項１６】  前記第１の電磁波信号はパルス振幅変調されている請求項１４記載のシステム。
【請求項１７】  前記タグは、誘導性素子及び容量性素子のみを含む受動型である請求項１４記載のシステム。
【請求項１８】  物品の存在を検出するための方法であって、
タグ上に略平面状の導電パターンをそれぞれ備えた複数の共振回路を有する当該タグを、前記物品に固定するステップと、
所定の１次周波数を有する第１の電磁波信号を送信するステップと、
前記共振タグによる前記第１の電磁波信号の受信に応答して第２の電磁波信号を発生するステップとを含み、
前記第２の電磁波信号は前記１次周波数及び前記１次周波数とは異なる所定の２次周波数を有し、
前記方法は、
前記第２の電磁波信号を受信するステップと、
前記受信された第２の電磁波信号を処理し、前記第２の電磁波信号に前記２次周波数が検出されたときに出力信号を発生するステップとを含む方法。
【請求項１９】  前記第１の電磁波信号はパルス振幅変調されている請求項１８記載の方法。
【請求項２０】  前記１次周波数を検出し、前記１次周波数及び前記２次周波数が共に検出されたときにのみ出力信号を発生するステップをさらに含む請求項１８記載の方法。
【請求項２１】  前記１次周波数及び前記２次周波数は連続的に検出される請求項２０記載の方法。
【請求項２２】  複数の異なる共振周波数を有する複数の共振周波数回路に格納された情報の存在を決定するための方法であって、
略平面状の導電パターンをそれぞれ備えた前記複数の共振回路を含むタグを提供するステップと、
所定の１次周波数を有する第１の電磁波信号を放射するステップと、
前記第１の電磁波信号を前記共振タグによって受信し、前記第１の電磁波信号の受信に応答して第２の電磁波信号を発生するステップとを含み、
前記第２の電磁波信号は、前記複数の共振回路の前記共振周波数のうちの１つの共振周波数にそれぞれ対応する複数の２次周波数を含み、
前記方法は、
前記第２の電磁波信号を受信するステップと、
前記受信された第２の電磁波信号を処理することにより、前記複数の２次周波数の存在を検出し、前記情報に対応する出力信号を発生するステップとを含む方法。
【請求項２３】  前記第１の電磁波信号はパルス振幅変調されている請求項２２記載の方法。
【請求項２４】  物品の存在を検出するシステムであって、
所定の１次周波数のみを有する第１の電磁波信号を放射する送信器と、
タグ上に略平面状の導電パターンをそれぞれ備えた複数の共振回路を有し、前記第１の電磁波信号の受信に応答して第２の電磁波信号を発生するために前記物品に固定されるように配置された当該タグとを備え、
前記第２の電磁波信号は前記１次周波数及び前記１次周波数とは異なる所定の２次周波数を有し、
前記システムは、
前記第２の電磁波信号を受信する受信器と、
前記受信器の出力端子に接続され、受信された第２の電磁波信号を処理し、前記第２の電磁波信号に前記２次周波数が検出されたときに出力信号を発生するコンピュータとを備えたシステム。
【請求項２５】  前記受信器は、前記第１の電磁波信号の周波数と同じ周波数では前記第２の電磁波信号を受信しない請求項２４記載のシステム。
【手続補正２】
【補正対象書類名】明細書
【補正対象項目名】００２１
【補正方法】変更
【補正の内容】
【００２１】
本発明はまた、相異なる共振周波数を有する複数の共振回路に保存された情報の存在を判定する方法を具え、その方法は：前記複数の共振回路を共振タグに備えるステップと；所定の１次周波数で第１の電磁波信号を放射するステップと；前記共振タグにおける前記第１の電磁波信号を受信して、この前記第１の電磁波信号を受信したことに応じて第２の電磁波信号を生成するステップであって、前記第２の電磁波信号は複数の２次周波数を具備し、その複数の２次周波数の各々は前記複数の共振回路の共振周波数の１つに対応しているところのステップと；前記第２の電磁波信号を受信するステップと；そして、前記受信した第２の電磁波信号を処理して前記複数の２次周波数の存在を検出するステップと；及び前記情報に対応する出力信号を生成するステップと；を備えている。
【手続補正３】
【補正対象書類名】明細書
【補正対象項目名】００２７
【補正方法】変更
【補正の内容】
【００２７】
図２には、本発明の第１の好適な実施例に係るデュアル周波数共振タグ２０の電気回路図を示す。デュアル周波数共振タグ２０は、第１の誘導性素子であるインダクタンスＬｐと、第２の誘導性素子であるインダクタンスＬｓと、第１の容量性素子であるキャパシタンスＣｐと、第２の容量性素子であるキャパシタンスＣｓという４つの回路素子を備えている。上述のインダクタおよびキャパシタは、１次周波数で共振する第１の共振回路と、２次周波数で共振する第２の共振回路とを構成する。第１および第２の共振回路は互いに電磁的に結合されていることが好ましい。必要な場合には、図２に破線で示したように、誘導性素子や容量性素子などの回路素子を更に追加しても良い；それらの回路素子Ｌｋ、ＬｎおよびＣｋ、Ｃｎは、第１の磁気回路と電磁的に結合した追加の共振回路を構成する。
【手続補正４】
【補正対象書類名】明細書
【補正対象項目名】００３２
【補正方法】変更
【補正の内容】
【００３２】
上述のように、共振タグ２０の回路素子は、基板２２の両主面つまり面２４、２６の上に導電性材料でパターン形成することにより構成されている。すなわち、第１の導電性パターン２８（図３では淡色で示してある）は基板２２の第１の主要側面２４（図３では、便宜的に共振タグ２０の裏側としてある）の上に形成されている。また、第２の導電性パターン６０（図３では濃色で示してある）は基板２２の第２の主要側面２６の上に形成されている。これらの導電性パターン２８、６０は、電子的物品保安システム技術の当業者には良く知られている方法によって、既知の種類の導電性材料を用いて基板表面２４、２６上に形成して良い。エッチレジストインク等を用いた印刷で所望の材料部分を保護した後に、不要部分を化学的方法で除去するというサブトラクティング（減算的）プロセス（すなわちエッチング）によって導電性材料をパターン形成することが好ましい。
【手続補正５】
【補正対象書類名】明細書
【補正対象項目名】００３４
【補正方法】変更
【補正の内容】
【００３４】
先に述べたように、第１および第２の導電性パターン２８、６０が協働して上述の共振回路を構成している。図３に示した例では、インダクタンスすなわち誘導性素子Ｌｐ、Ｌｓは、それぞれ、第１の導電性パターン２８の一部分である誘導コイル６２、６４として形成されている。したがって、インダクタンスＬｐ、Ｌｓは基板２２の第１の主面２４上に形成されている。これら２つの誘導コイル６２、６４は、図示したように同方向に巻回して、これらの間に特定の量の誘導性結合を形成することが好ましい。
【手続補正６】
【補正対象書類名】明細書
【補正対象項目名】００３５
【補正方法】変更
【補正の内容】
【００３５】
更に、容量性素子すなわちキャパシタンスＣｐ、Ｃｓのそれぞれの第１の電極板６６、６８は、基板２２の第１の主面２４上の第１の導電性パターン２８の一部分として形成されている。また、容量性素子すなわちキャパシタンスＣｐ、Ｃｓの各々の第２の電極板７０、７２は、第２の導電性パターン６０の一部分として形成され、基板２２の第２の主面２６上に置かれている。好ましくは基板２２を貫通して直接的電気接続が延在し、これが第１の導電性パターン２８を第２の導電性パターン６０に電気的に接続し、；それによって、基板２２の両側面を常に継続的にほほ同じ静電レベルに維持する。
【手続補正７】
【補正対象書類名】明細書
【補正対象項目名】００４９
【補正方法】変更
【補正の内容】
【００４９】
実際には、共振タグ２０を構成している共振回路の共振周波数は製造上の許容範囲をもっており、その結果リングダウン周波数の周波数を所定の１次および２次の周波数から、共振タグ２０の検出を低下するのに充分なだけ変移してもよい。好ましくは、第１の共振回路の共振周波数が容認できる程所定の１次周波数に近いように、共振タグ２０の第１の共振回路をレーザ光線その他の手段を用いてトリミングする。この場合には、１次周波数を受信するための帯域幅を狭め、２次周波数を受信するための帯域幅を広げて、２次周波数における第２の共振回路の許容範囲を広げるようにしてもよい。別のやり方としては、第２の共振回路をトリミングして所定の２次周波数に近づけても良い。